【事件の表示】
　特許第２９２５１９７号「光学装置」の特許に対する特許異議の申立てについて、次のとおり決定する。
【結　論】
　訂正を認める。
　特許第２９２５１９７号の請求項１ないし２に係る特許を維持する。
【理　由】
（１）手続きの経緯
　本件特許第２９２５１９７号発明は、平成１年１２月８日に特許出願され、平成１１年５月７日にその発明の特許がなされ、その後、細野　篤良より特許異議の申立てがなされ、取消理由通知がなされ、その指定期間内である平成１２年６月２０日に訂正請求がなされたものである。
（２）訂正の適否についての判断
（ｉ）特許請求の範囲の訂正
ア.訂正明細書の請求項１に係る発明
　訂正明細書の請求項１に係る発明は、その特許請求の範囲の請求項１に特定された次のとおりのものである。
　「【請求項１】光学系を変倍動作及びワイド位置よりもさらに繰り込まれる収納位置への移動のために駆動する第１の駆動手段と、前記光学系を構成し、前記第１の駆動手段によって駆動される第１の光学ユニットとを前記第１の駆動手段の駆動とは独立に駆動し焦点調節動作、及び前記収納位置への移動のために前記第１の光学ユニットより前方の前記光学系を構成する第２の光学ユニットに対し接近させる第２の駆動手段とを有することを特徴とする光学装置。」
イ.訂正明細書の請求項２に係る発明
　訂正明細書の請求項２に係る発明は、その特許請求の範囲の請求項２に特定された次のとおりのものである。
　「【請求項２】光学系をズーミング動作及びワイド位置よりもさらに繰り込まれる不使用収納位置への移動のために駆動する第１の駆動手段と、前記光学系を構成し、前記第１の駆動手段によって駆動される第１の光学ユニットとを前記第１の駆動手段の駆動とは独立に駆動し焦点調節動作、及び前記不使用収納位置への移動のために前記第１の光学ユニットより前方の前記光学系を構成する第２の光学ユニットに対し接近させる第２の駆動手段とを有することを特徴とする光学装置。」
（ｉｉ）発明の詳細な説明の訂正
ア.明細書第４頁の［課題を解決するための手段］の項(特許掲載公報第３欄第１９〜３４行)を「上記目的を達成するために、第１発明による光学装置は、光学系を変倍動作及びワイド位置よりもさらに繰り込まれる収納位置への移動のために駆動する第１の駆動手段と、前記光学系を構成し、前記第１の駆動手段によって駆動される第１の光学ユニットとを前記第１の駆動手段の駆動とは独立に駆動し焦点調節動作、及び前記収納位置への移動のために前記第１の光学ユニットより前方の前記光学系を構成する第２の光学ユニットに対し接近させる第２の駆動手段とを有することを特徴とするものである。
同じく、第２発明による光学装置は、光学系をズーミング動作及びワイド位置よりもさらに繰り込まれる不使用収納位置への移動のために駆動する第１の駆動手段と、前記光学系を構成し、前記第１の駆動手段によって駆動される第１の光学ユニットを前記第１の駆動手段の駆動とは独立に駆動し焦点調節動作、及び前記不使用収納位置への移動のために前記第１の光学ユニットより前方の前記光学系を構成する第２の光学ユニットに対し接近させる第２の駆動手段とを有することを特徴とするものである。」と訂正する。
（ｉｉｉ）訂正の目的の適否及び拡張・変更の存否等
　上記訂正（ｉ）は、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正（ｉｉ）は、特許請求の範囲の訂正に付随する訂正であるから、発明の詳細な説明の欄中の明瞭でない記載の釈明を目的とするものであり、願書に添付した明細書又は図面に記載された事項の範囲内のものであり、新規事項の追加もない。
（ｉｖ）むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び第３項で準用する第１２６条第２−４項の規定に適合するので、当該訂正を認める。
（３）特許異議の申立てについての判断
ア.申立ての理由の概要
　申立人細野　篤良は、証拠として甲第１号証（特開昭６２−１０９０１２号公報）、甲第２号証（特開昭６３−２２０２０８号公報）を提出し、訂正前の請求項１、２に係る発明は、特許法第２９条第２項の規定に違反してなされたものであるから、特許を取り消すべき旨主張し、また、記載不備があるから、特許法第３６条第４〜６項の規定により特許を取り消すべき旨主張している。
イ.判断
［引用刊行物に記載された発明］
訂正前明細書の請求項１および２に対して、当審が通知した取消理由で引用した甲第１号証（特開昭６２−１０９０１２号公報）には、「本発明は、収納時の形態をよりコンパクトにすることを可能にしたズームレンズに関する。」（第１頁左欄第１４〜１５行）、「不使用時に、第１図に太い矢印で示されているように第１群レンズ１を結像面側へ大きく移動させて第２群レンズ２になるべく近づけるようにし、もって、レンズの全長を短くするようにしたものである。」（第２頁左下欄第１０〜１４行）、及び「例えば、第１鏡筒と第２鏡筒をそれぞれ独立のステッピングモータで駆動するようにし、各ステッピングモータをコンピュータ制御等によって個々に制御するようにしてもよい。」（第６頁第１〜４行）との記載があり、結局、光学系を変倍動作及びワイド位置よりもさらに繰り込まれる収納位置への移動のために駆動する第１鏡筒駆動用ステッピングモータと、前記光学系を構成し、前記第１鏡筒駆動用ステッピングモータの駆動とは独立に、第２鏡筒１２及び第２群レンズ２とを駆動する第２鏡筒駆動用ステッピングモータとを有することを特徴とする光学装置が記載されている。
　同じく引用した甲第２号証（特開昭６３−２２０２０８号公報）には、「もちろんＩ群枠１を移動させることはフォーカシングそのものであるからズームのための補正とフォーカシングを同時に行なうこともできる。」（第３頁左上欄第１５〜１８行）、「Ｉ群枠１１はヘリコイドによってＩＩＩ群枠１３と螺合していて、フォーカシング用モータ１８を回転させることによってフォーカシング用減速ギヤ列１７を介してＩ群枠１１がＩＩＩ群枠１３に対して回転して光軸方向へ移動する。」（第３頁右上欄第１０〜１４行）、及び「次に、この実施例の動作を述べる。まず、図示されていないズームスイッチを操作すると、ズーム用モータ２１が回転して操作環１６が回転する。操作環１６のカム溝１６ａ、１６ｂ、１６ｃにそれぞれ嵌合しているＩＩ群枠１２、ＩＩＩ群枠１３、ＩＶ群枠１４の駆動用ピン１２ａ、１３ａ、１４ａは、固定枠１５の回転防止用溝１５ａによって回転方向の規制をされているので、それぞれカム溝１６ａ、１６ｂ、１６ｃに沿って光軸方向に移動する。このときＩ群枠１１はＩＩＩ群枠１３とともに光軸方向に移動する。」（第３頁右下欄第７〜１７行）との記載がある。
〔本件請求項１に係る発明〕
　　本件請求項１に係る発明と、上記甲第１号証に記載された発明とを、対比すると、本件請求項１に係る発明の「第１の駆動手段」、「第１の光学ユニット」、「第２の光学ユニット」、「第２の駆動手段」は、上記甲第１号証に記載された「第１鏡筒駆動用ステッピングモータ」、「第１鏡筒１１及び第１群レンズ」、「第２鏡筒１２及び第２群レンズ２」、「第２鏡筒駆動用ステッピングモータ」に相当するから、両者は、光学系を変倍動作及びワイド位置よりもさらに繰り込まれる収納位置への移動のために駆動する第１の駆動手段と、前記光学系を構成し、前記第１の駆動手段の駆動とは独立に、第２の光学ユニットを駆動する第２の駆動手段とを有することを特徴とする光学装置で一致し、
Ａ本件請求項１に係る発明は、前記第１の駆動手段によって駆動される第１の光学ユニットを焦点調節動作、及び前記収納位置への移動のために前記第１の光学ユニットより前方の前記光学系を構成する第２の光学ユニットに対し接近させる第２の駆動手段を有するのに対して、上記甲第１号証に記載の発明は、第２鏡筒１２及び第２群レンズ２とを駆動する第２鏡筒駆動用ステッピングモータとを有する点で相違する。
　そこで、上記相違点Ａが甲第２号証に開示されているか否かを検討すると、甲第２号証には、相違点Ａは記載されていない。
　してみれば、甲各号証には、相違点Ａが開示されていない。
　本件請求項１に係る発明は、この構成を有することによって、明細書記載の作用効果を奏するものであるから、甲各号証に記載された発明であるとも、甲各号証から当業者が容易に推考できたものであるとも言えない。
〔本件請求項２に係る発明〕
　　本件請求項２に係る発明と、上記甲第１号証に記載された発明とを、対比すると、本件請求項２に係る発明の「第１の駆動手段」、「第１の光学ユニット」、「第２の光学ユニット」、「第２の駆動手段」は、上記甲第１号証に記載された「第１鏡筒駆動用ステッピングモータ」、「第１鏡筒１１及び第１群レンズ」、「第２鏡筒１２及び第２群レンズ２」、「第２鏡筒駆動用ステッピングモータ」に相当するから、両者は、光学系をズーミング動作及びワイド位置よりもさらに繰り込まれる不使用収納位置への移動のために駆動する第１の駆動手段と、前記光学系を構成し、前記第１の駆動手段の駆動とは独立に、第２の光学ユニットを駆動する第２の駆動手段とを有することを特徴とする光学装置で一致し、
Ａ本件請求項２に係る発明は、前記第１の駆動手段によって駆動される第１の光学ユニットを焦点調節動作、及び前記不使用収納位置への移動のために前記第１の光学ユニットより前方の前記光学系を構成する第２の光学ユニットに対し接近させる第２の駆動手段を有するのに対して、上記甲第１号証に記載の発明は、第２鏡筒１２及び第２群レンズ２とを駆動する第２鏡筒駆動用ステッピングモータとを有する点で相違する。
　そこで、上記相違点Ａが甲第２号証に開示されているか否かを検討すると、甲第２号証には、相違点Ａは記載されていない。
　してみれば、甲各号証には、相違点Ａが開示されていない。
　本件請求項２に係る発明は、この構成を有することによって、明細書記載の作用効果を奏するものであるから、甲各号証に記載された発明であるとも、甲各号証から当業者が容易に推考できたものであるとも言えない。
［記載不備］
異議申立人は、請求項１及び２の「焦点調節動作及び前記（不使用）収納位置への移動のために前記第１の光学ユニットより前方の前記光学系を構成する第２の光学ユニットに対し接近させる」点が、発明の詳細な説明に記載のない事項に基づくと主張しているが、特許掲載公報第３欄第１８〜３４行に記載されている。また、実施例についても、当業者であれば、特許掲載公報第１０欄第３２〜３５行の記載から明らかであるから、異議申立人の主張は、失当である。
ウ.むすび
　以上のとおりであるから、特許異議申立の理由及び証拠によっては、本件請求項１および２に係る発明の特許を取り消すことはできない。
　また、他に本件請求項１および２に係る発明の特許を取り消すべき理由を発見しない。
　よって、結論のとおり決定する。
【異議決定日】
平成１２年９月７日（２０００．９．７）
【訂正の要旨】
　　　訂正の要旨
特許請求の範囲の減縮を目的として、下記（１）、（２）のように特許請求の範囲を訂正する。また、特許請求の範囲の訂正に応じて、発明の詳細な説明についても、適合性を持たせるために下記（３）のように訂正する。
（１）特許請求の範囲の請求項１を次のとおり訂正する。
　「【請求項１】光学系を変倍動作及びワイド位置よりもさらに繰り込まれる収納位置への移動のために駆動する第１の駆動手段と、前記光学系を構成し、前記第１の駆動手段によって駆動される第１の光学ユニットとを前記第１の駆動手段の駆動とは独立に駆動し焦点調節動作、及び前記収納位置への移動のために前記第１の光学ユニットより前方の前記光学系を構成する第２の光学ユニットに対し接近させる第２の駆動手段とを有することを特徴とする光学装置。」
（２）特許請求の範囲の請求項２を次のとおり訂正する。
　「【請求項２】光学系をズーミング動作及びワイド位置よりもさらに繰り込まれる不使用収納位置への移動のために駆動する第１の駆動手段と、前記光学系を構成し、前記第１の駆動手段によって駆動される第１の光学ユニットとを前記第１の駆動手段の駆動とは独立に駆動し焦点調節動作、及び前記不使用収納位置への移動のために前記第１の光学ユニットより前方の前記光学系を構成する第２の光学ユニットに対し接近させる第２の駆動手段とを有することを特徴とする光学装置。」
（３）明細書第４頁の［課題を解決するための手段］の項（特許掲載公報第３欄第１９〜３４行）を「上記目的を達成するために、第１発明による光学装置は、光学系を変倍動作及びワイド位置よりもさらに繰り込まれる収納位置への移動のために駆動する第１の駆動手段と、前記光学系を構成し、前記第１の駆動手段によって駆動される第１の光学ユニットとを前記第１の駆動手段の駆動とは独立に駆動し焦点調節動作、及び前記収納位置への移動のために前記第１の光学ユニットより前方の前記光学系を構成する第２の光学ユニットに対し接近させる第２の駆動手段とを有することを特徴とするものである。
同じく、第２発明による光学装置は、光学系をズーミング動作及びワイド位置よりもさらに繰り込まれる不使用収納位置への移動のために駆動する第１の駆動手段と、前記光学系を構成し、前記第１の駆動手段によって駆動される第１の光学ユニットを前記第１の駆動手段の駆動とは独立に駆動し焦点調節動作、及び前記不使用収納位置への移動のために前記第１の光学ユニットより前方の前記光学系を構成する第２の光学ユニットに対し接近させる第２の駆動手段とを有することを特徴とするものである。」と訂正する。
（５４）【発明の名称】
光学装置
（５７）【特許請求の範囲】
　　【請求項１】　光学系を変倍動作及びワイド位置よりもさらに繰り込まれる収納位置への移動のために駆動する第１の駆動手段と、前記光学系を構成し、前記第１の駆動手段によって駆動される第１の光学ユニットを前記第１の駆動手段の駆動とは独立に駆動し焦点調節動作、及び前記収納位置への移動のために前記第１の光学ユニットより前方の前記光学系を構成する第２の光学ユニットに対し接近させる第２の駆動手段とを有することを特徴とする光学装置。
　　【請求項２】　光学系をズーミング動作及びワイド位置よりもさらに繰り込まれる不使用収納位置への移動のために駆動する第１の駆動手段と、前記光学系を構成し、前記第１の駆動手段によって駆動される第１の光学ユニットを前記第１の駆動手段の駆動とは独立に駆動し焦点調節動作、及び前記不使用収納位置への移動のために前記第１の光学ユニットより前方の前記光学系を構成する第２の光学ユニットに対し接近させる第２の駆動手段とを有することを特徴とする光学装置。
【発明の詳細な説明】
〔産業上の利用分野〕
　本発明は、光学装置の収納に関するものである。
〔従来の技術〕
　従来、例えば小型ズームカメラは、第１２図に示すように前後群の撮影光学系を連続して変化する焦点距離に位置決めするため、１本のカムリング２０１と直進カム２０２によりその位置を規制してズーミングを行なうような構造を採っていた。沈胴に際しては第１２図中ＷＩＤＥの状態で図示された鏡筒２０３の先端部がカバー２０４の前端部と同一面になるまでカムリング２０１をＷＩＤＥ位置からさらに回転させ、鏡筒２０３の沈胴を行なうような構造となっている。
〔発明が解決しようとする課題〕
　上記の従来例には次のような問題点があった。
（ｉ）前後群の撮影光学系の位置規制を行なうカムリングの構成上、前記撮影光学系がＷＩＤＥの状態、つまり前群と後群の間隔が開いた状態、で沈胴を行っているため、沈胴時のカメラの厚みが増してしまう。
（ｉｉ）上述１の欠点を除去すべく、沈胴時の前・後群レンズ間隔を詰めるために第１３図に示すように、後群の位置規制を行なうカム溝３０１のＷＩＤＥ端（図中３０１ｂ部）の延長上に切り欠き部３０１ａを設け、沈胴時のカメラの厚みを薄くしようとした場合、第１４図に示すように前後群のレンズ間隔が詰っても、前述カムリング４０１の光軸方向の長さに変化はないので、沈胴時のカメラの厚みは該カムリングの長さに左右され、その結果、前述（ｉ）の場合とあまり変わらなくなってしまう。
（ｉｉｉ）一般に、従来の三群ズームレンズのズーム機構では殆んど沈胴効果は得られない。
　本発明は、以上の事情に鑑みなされたものでコンパクトに収納できる光学装置を提供しようとするものである。
〔課題を解決するための手段〕
　上記目的を達成するために、第１発明による光学装置は、光学系を変倍動作及びワイド位置よりもさらに繰り込まれる収納位置への移動のために駆動する第１の駆動手段と、前記光学系を構成し、前記第１の駆動手段によって駆動される第１の光学ユニットを前記第１の駆動手段の駆動とは独立に駆動し焦点調節動作、及び前記収納位置への移動のために前記第１の光学ユニットより前方の前記光学系を構成する第２の光学ユニットに対し接近させる第２の駆動手段とを有することを特徴とするものである。
同じく、第２発明による光学装置は、光学系をズーミング動作及びワイド位置よりもさらに繰り込まれる不使用収納位置への移動のために駆動する第１の駆動手段と、前記光学系を構成し、前記第１の駆動手段によって駆動される第１の光学ユニットを前記第１の駆動手段の駆動とは独立に駆動し焦点調節動作、及び前記不使用収納位置への移動のために前記第１の光学ユニットより前方の前記光学系を構成する第２の光学ユニットに対し接近させる第２の駆動手段とを有することを特徴とするものである。
〔実施例〕
　以下に添付図面の第１図乃至第９図を参照しつつ本発明の第１実施例について説明する。
　第１図は本発明の第１実施例のズームレンズ鏡筒の分解斜視図である。第１図において、１は先端部１ａに不図示の第一群レンズを保持している一群鏡筒，２は該鏡筒１の内周面に回転可能に嵌合している二群カムリング，３は不図示の第二群レンズを保持するとともに公知のシャッターユニットを保持しているシャッター地板，４は第三群レンズを保持している三群ホルダー，５は前記第一群レンズ及び一群鏡筒１の撮影光軸方向の位置を規定するための一群カムリング，６は前記一群カムリング５の外周面に相対回転可能に嵌合するとともに前記一群鏡筒１を撮影光軸方向にのみ直進移動させるための軸方向溝６ａが内周面に形成されている直進ガイド，である。
　一群カムリング５の後端部５ａの内周面には不図示の内歯ギアが取付けられており、該内歯ギアには図示のギア７が噛み合い、さらに該ギア７には、図示しない公知の駆動源からの動力を受けるギア８が噛み合っている。一群カムリング５は前述の直進ガイド６の内周面に回動自在に保持されているが、該リング５の外周面に突設されたピン９が前記直進ガイド６の周方向溝６ｂに挿入されているため一群カムリング５は光軸方向に動くことはできない。
　一方、一群鏡筒１の外周面にもピン１０が突設されており、このピン１０は前記カムリング５のカム溝５ｂ内に相対摺動可能に挿入されるとともに前記直進ガイド６の軸方向溝６ａにも相対摺動可能に挿入されており、従って一群鏡筒１はカム溝５ｂによって光軸方向の位置を制御されるようになっている。
　不図示の駆動源からの動力を前記ギア８が受けて回転を始めると、ギア７が回転し、この回転力がカムリング５の内歯ギアに伝達されてカムリング５が回転を始める。一群鏡筒１に植設されたピン１０はカム溝５ｂおよび軸方向溝６ａ内で相対摺動可能となっているのでカムリング５が回転するとカム溝５ｂの光軸方向の変位量分だけ一群鏡筒１が光軸方向に駆動され、その結果、第一群レンズのズーミング移動が行われる。
　次に第二群レンズのズーミング機構及び動作について説明する。
　二群カムリング２は一群鏡筒１の内周面に回動自在に保持され、その後端部２ａに植設されたピン１１は一群鏡筒１の周方向溝１ｂ内に相対摺動自在に挿入されるとともに、カムリング５の光軸方向の溝５ｃ内にも相対摺動自在に挿入されている。
　従って、カムリング５が回転を始めると、一群鏡筒１が光軸に沿って移動するが、二群カムリング２はその光軸方向の動きを植設ピン１１により、一群鏡筒１の周方向溝１ｂによって禁止されているため該カムリング２は一群鏡筒１と一体となって光軸方向へ移動する。さらに植設ピン１１はカムリング５の溝５ｃによりその回転方向の動きがカムリングに対して禁止されているのでカムリング５が回転すると二群カムリング２は一群鏡筒１と一体で光軸方向へ移動すると同時にカムリング５と同一角度の回転を行なう。
　一群鏡筒１は、その内部に光軸と平行に固着された２本のガイドバー１２及び１３を有している。一方のガイドバー１２はシャッター地板３の孔３ａに摺動可能に挿入されており、ガイドバー１２に嵌装された圧縮バネ１４がシャッター地板３を光軸と平行に後方へ（第１図で右向き）付勢している。他方のガイドバー１３はシャッター地板３の外周縁の切り欠き溝３ｂに嵌合されており、これにより該地板３に光軸を中心とする回動が生じないようになっている。従って、該地板３は光軸と平行な動きのみが可能である。
　該シャッター地板３は、シャッター羽根３２及び３３，羽根押え３４，等の部品とともに公知のシャッターユニット３１を構成しており、シャッター地板３には後述の三群レンズ駆動用のステッピングモータ１９０とシャッター羽根駆動用のモータＳＭとが取付けられている。
　シャッター地板３にはまた、植設ピン３ｃが固設され、該ピン３ｃは前述の二群カムリング２のカム面２ｂに係合している。
　シャッター地板３は前記圧縮バネ１４により光軸方向に沿って後向きに付勢されているため、該ピン３ｃは二群カムリング２のカム面２ｂに該バネ１４の力で圧接されている。従って、カムリング５が回転されると前述のように二群カムリング２も回転され、第二群レンズを保持したシャッター地板３がカム面２ｂによって光軸方向に動かされることにより第二群レンズのズーミング動作が起こる。なお、上述のように、シャッター地板３は光軸前方向に圧縮バネ１４の力に抗して移動することが可能であるから、沈胴に際しては、シャッター地板３を光軸と平行に前方へ移動させることによって第一群レンズと第二群レンズの間隔を狭めることが出来るようになっている。
　次に第三群レンズの移動機構と動作とについて説明する。
　第三群レンズを保持している三群ホルダー４には光軸対称位置に三群ガイドバー１５，１６が光軸と平行を成すように固着されている。
　一方のガイドバー１５にはその外周部に圧縮バネ１７が嵌装されるとともにシャッター地板３の孔３ｃ′に摺動自在に嵌合されている。該バネ１７は三群ホルダー４を光軸方向後向きに付勢しており、後述のヘリコイド軸１８とメスヘリコイド筒との螺合部分におけるバックラッシュや減速ギア列のバックラッシュを少くさせる役目を果している。他方のガイドバー１６は前記地板の切り欠き溝３ｄに係合しており、該ホルダ４が光軸を中心とする回転を起さぬようになっている。さらに前記ホルダー４にはガイドバー１５及び１６と平行に配置されたへリコイド軸１８が突設されており、該ヘリコイド軸１８はギア１９と一体のメスヘリコイド筒に螺合しているので該ギア１９を回転させることによって前記三群ホルダー４を光軸方向に移動させることができる。
　１９０は周方向に４極に分極された、永久磁石ロータ２０を有する公知のステッピングモーターであり、第２図には該モーターの正面図が示されている。ヨーク２１及び２３はボビン２５と共に一つの磁路を形成し、また、ヨーク２２及び２４はボビン２６と共に一つの磁路を形成している。
　２７は前記永久磁石ロータ２０に固設された中心軸２８の上端部を回転可能に位置決めするための嵌合穴２７ａを有したマグネットカバーである。前記中心軸２８の他端２８ａはシャッター地板３に設けられた貫通穴３ｅに回転自在に保持され、前述のマグネットカバー２７との間で支持されている。さらに軸端２８ａはシャッター地板３の裏側に突出し、その出力を伝達するためのピニオン２９がその先端部に固着されている。
　以上のような構成のステッピングモーターにおいては、前述のボビン２５及び２６に巻かれたコイルに通電を行うことによって前記ヨーク２１〜２４を励磁し、適宜該通電の位相を切り換えることで永久磁石ローター２０が回転し、その出力がピニオン２９と伝達される。ピニオン２９が回転を始めると順次減速ギア列３０が回転し、メスヘリコイド筒と一体のギア１９が回転を始める。この回転により、ヘリコイド軸１８が光軸方向に駆動されて、三群ホルダー４の光軸方向移動すなわち三群レンズのズーミングが行なわれる。
　本実施例においては、ピント補正すなわちＡＦ（オートフォカス）が該第三群レンズにより行なわれるリアフォーカスタイプの撮影レンズが構成されているため第三群レンズは前述ズーミング動作のほかにピント補正のレンズ位置制御も行なう。なお、駆動原理は前述の場合と同様であるのでその説明は省略する。
　３５は直進ガイド６の後端に固定されたギア担持板であり、該ギア担持板３５にはギア７を回転自在に軸支する固定軸３５ａとギア８を回転自在に軸支する回転軸３５ｂとが突設されるとともに後述のヘリコイド軸３６ａに螺合するねじ孔すなわちメスヘリコイド孔３５ｃとヘリコイド軸３７ａに螺合するメスヘリコイド孔３５ｄが光軸と平行に貫設されている。なお、このメスヘリコイド孔３５ｃ及び３５ｄの位置は鏡筒１の外径よりも小さい径の円周上にあり、該メスヘリコイド孔３５ｃ及び３５ｄに螺合するヘリコイド軸３６ａ及び３７ａが他の部材とぶつからぬように該孔３５ｃ及び３５ｄの位置が決められている。３５ｅはシャッター地板３に衝突するストッパーピンである。
　３８は固定鏡筒であり、該固定鏡筒３８はカメラ本体３９に固定されている。直進ガイド６は固定鏡筒３８内に挿入されて光軸と平行に前後方向に移動可能であり、直進ガイド６内には第３図に示されるように一群カムリング５，一群鏡筒１，二群カムリング２，がこの順に外側から内側へ嵌装され、二群カムリング２の内側にはシャッター地板３を合むシャッターユニット３１が配置され、該シャッターユニット３１よりも更に後方には三群ホルダー４が配置されるとともに直進ガイド６の後端に取付けられたギア担持板３５が配置されている。
　直進ガイド６，一群カムリング５，一群鏡筒１，二群カムリング２，シャッターユニット３１，三群ホルダー４，ギア担持板３５，は固定鏡筒３８内を光軸方向に沿って移動可能となっており、これらの主要七部材で構成されるユニットを本明細書では撮影レンズ鏡筒ユニットと呼ぶことにする。
　直進ガイド６の外周面には軸方向突条６ｆが突設されており、該突条６ｆは固定鏡筒３８の内周面に刻設されている軸方向溝（図示せず）に相対摺動可能に嵌合しているので直進ガイド６は回転することなく固定鏡筒３８内を軸方向に沿って動くことができる。
　直進ガイド６の後端には大径部６ｇが形成されており、該大径部６ｇの外周面には後述のバヨネットリング４３の回転により撮影レンズ鏡筒ユニットの光軸方向位置を定めるための突起６ｃ及び６ｄ並びに６ｅ（第６図参照）が突設されており、この突起６ｃ及び６ｄ並びに６ｅは後述のバヨネットリング４３に係合するようになっている。
　カメラ本体３９の内部には、ギア担持板３５及び直進ガイド６を光軸と平行に前進及び後退させるための動力伝達機構と、ギア８を回転させるための駆動力を伝達するための動力伝達機構及びバヨネットリング４３を回転させるための動力伝達機構と、が収容されている。これらの動力伝達機構は、第１図に示すリングギア４０，リングギア４０の内歯に噛み合う２個のギア３６多び３７，該ギア３６及び３７のそれぞれと一体に形成されたヘリコイド軸３６ａ及び３７ａ，外周面の一部にギア部４３ｄが形成されたバヨネツトリング４３，等で構成されている。
　以下には第１図乃至第９図を参照して上記動力伝達機構の構造について説明する。
　第１図に示されるように、カメラ本体３９には前記の撮影レンズ鏡筒ユニットを収容しうる孔３９ｃが設けられ、該孔３９ｃの最奥部の端面には、第３図に示すように、ギア３６の端面の凹部に嵌合するギア支持軸３９ａと、ギア３７の端面の凹部に嵌合するギア支持軸３９ｂと、が突設されており、該軸３９ａによってギア３６が定位置で回転可能に支持されるとともに軸３９ｂによってギア３７が定位置で回転可能に支持されている。
　ギア３６及びギア３７はそれぞれヘリコイド軸３６ａ及びヘリコイド軸３７ａと一体に成形されたねじ軸付きギアであり、ヘリコイド軸３６ａはギア担持板３５のメスヘリコイド孔３５ｃ（ねじ孔）に螺合し、ヘリコイド軸３７ａはギア担持板３５のメスヘリコイド孔３５ｄ（ねじ孔）に螺合している。
　ギア３６及び３７に噛み合うリングギア４０は外周面に外歯４０ａが形成されるとともに内周面に内歯４０ｂが形成されているギアであり、該ギア４０の内歯４０ｂにギア３６とギア３７とが噛み合っている。
　リングギア４０は第３図に示されるようにカメラ本体３９の撮影レンズ鏡筒ユニット収容孔３９ｃの最奥部の位置において回転可能に配置されるとともにそれ自身の内歯４０ｂにギア３６及び３７が噛み合っており、また、リングギア４０の外歯４０ａにはギア４８が噛み合っている。該ギア４８はカメラ本体３９の上面にあけられた窓から外部へ突出しており、該ギア４８には不図示の駆動源で回転される不図示のギアが噛み合っている。
　リングギア４０及びギア３６並びに３７を軸方向に移動させないように、ヘリコイド軸３６ａに遊嵌する孔４１ａを有したギア押え板４１と，ヘリコイド軸３７ａに遊嵌する孔４２ａを有したギア押え板４２と，がそれぞれヘリコイド軸３６ａ及び３７ａに嵌装され、該押え板４１及び４２をギア３６及び３７並びにリングギア４０の端面に面して配置するとともに該押え板４１及び４２をカメラ本体３９にビス等で締結している。
　カメラ本体３９の前記孔３９ｃの開口縁には座ぐり部３９ｄが形成されており、該座ぐり部３９ｄには前記のバヨネットリング４３が回転可能に配置される。バヨネットリング４３の外周面の一部にはギア部４３ｄが形成されており、該ギア部４３ｄには該バヨネットリング４３を回動させるためのギア４７が噛み合っている。バヨネットリング４３には３ヶ所の段部４３ａ，４３ｂ，４３ｃが形成され、各段部にはバヨネットリング４３を軸線方向に移動させぬようにバネ性の接片を有したバヨネツトリング押え板４４〜４６が係合しており、該押え板４４〜４６はカメラ本体３９の端面にビス等で締結されている。これらのバヨネットリング押え板４４〜４６の設置位置は直進ガイド６の３個の突起６ｃ，６ｄ，６ｅに対応している。
　次に、前記の如き構成において、撮影レンズ鏡筒ユニットが沈胴位置（第３図の下半分に示されている状態）から前方へ繰り出される場合の各部の動作を説明する。
　不図示の駆動源によりギア４８が回転されるとリングギア４０が回転され、該ギア４０に噛み合っているギア３６及び３７がそれぞれ同一方向及び同一回転角だけ回転される。このため、ギア３６及び３７と一体のヘリコイド軸３６ａ及び３７ａが回転され、該軸３６ａ及び３７ａに螺合しているギア担持板３５は光軸と平行に前方に動かされる。従って、ギア担持板３５と一体の直進ガイド６が回転鏡筒３８内を前進し、直進ガイド６内に収容された一群カムリング５，一群鏡筒１，二群カムリングが直進ガイド６と一体となって前進する。この時、直進ガイド６の外周面に突設された突条６ｆが固定鏡筒３８の内周面の軸方向溝に嵌った状態で直進ガイド６が前進するため、直進ガイド６が回転することはない。また、この前進過程において二群カムリング２内に設けられたガイドバー１２上のバネ１４の作用によって一群鏡筒１及び二群カムリング２とシャッター地板３との間隔が広がるため、第一群レンズと第二群レンズとの間隔も徐々に広がっていく。そして、シャッター地板３の後面にギア担持板３５の突出ピン３５ｅが突き当った後は、三群ホルダー４が押え板４１から離れ、第一群レンズと第二群レンズとの間隔は一定のままで該鏡筒ユニットが固定鏡筒３８から繰り出されてゆく。
　該鏡筒ユニットの繰り出しが終りに近づくと該鏡筒ユニットはバヨネットリング４３をくぐり抜けた位置に達し、直進ガイド６の後端の大径部６ｇが固定鏡筒３８の孔３８ａに嵌り込み、直進ガイド６は固定鏡筒３８内で大径部６ｇで支持される。この時の状態を示したのが第６図である。
　該鏡筒ユニット繰り出しのための動力供給が遮断されると（すなわち、ギア４８の回転が停止すると）、該ユニットは停止する。この時、バヨネットリング押え板４４，４５，４６は直進ガイド６の３個の突起６ｃ，６ｄ，６ｅをそれぞれ光軸後方へ戻そうとする力を発生するはずであるが、突起６ｃ，６ｄ，６ｅに対応するバヨネットリング４３の部分には第１図に見られるような段部４３ａ，４３ｂ，４３ｃがあるため、該バヨネットリング押え板は該段部で係止を受け、鏡筒ユニットはその後端部がバヨネットリング４３をくぐりぬけた位置（つまり第６図に示した、バヨネットリング４３の前端面よりもさらに前方にユニット後端部が位置した状態で停止する。
　この第６図の状態において、図示しない駆動源からの動力がギア４７に伝達され、該ギア４７は時計方向への回転を始める。
　従ってバヨネットリング４３は反時計方向への回転を始める。該バヨネットリングが回転すると、バヨネットリング押え板４４，４５，４６のバネ力に係止を行っていた段部４３ａ，４３ｂ，４３ｃも回転するため、その係止は解除され、バヨネットリング押え板４４，４５，４６は直進ガイド６の突起６ｃ，６ｄ，６ｅを光軸後方へ押圧する力を発生し始める。しかしこの時すでに、バヨネットリング４３はある角度回転しているので、直進ガイド６の突起６ｃ，６ｄ，６ｅは、バヨネットリングの部分４３ｅ，４３ｆ，４３ｇに前記押圧力により圧接される。
　さらにバヨネットリング４３の回転が続くと、今度は、バヨネットリングに設けられた切り起こしのカム４３ｈ，４３ｉ，４３ｊにより直進ガイド６の突起６ｃ，６ｄ，６ｅは後端面をカムに押され、前記押圧力に打ち勝ってさらに光軸前方へのユニットのくり出しがなされる。
　その後、前記突起６ｃ，６ｄ，６ｅが、バヨネットリング４３の前記カム面４３ｈ，４３ｉ，４３ｊの延長上に設けられた前記前端面と平行な平面部４３ｋ，４３ｌ，４３ｍに乗り上げた状態になると駆動源からの動力が遮断される。
　ここまでの動きが完了した状態の要部正面図を示したのが第７図である。この状態までで、鏡筒ユニットは沈胴位置からの繰り出しを完了して撮影待機位置にしっかりと係止される。この時の鏡筒内の状態が第３図の上半分に示されている。第８図及び第９図はカムリング５の回転駆動を行なうギア８と、図示されない駆動源からの動力を受けて回転するギア５０が、前述した沈胴からのくり出し動作により連結される状態を説明するための要部断面図である。第８図は沈胴位置からくり出されてくる途中の状態であり、まだこの状態ではギア８とギア５０との連結はなされない。その後さらに鏡筒ユニットのくり出しが行なわれて第９図に示すようにギア８とギア５０の連結が行なわれる状態になったとき、ギア８の歯とギア５０の歯が干渉しない状態で、鏡筒ユニットがくり出されてくると（つまり、ギア８とギア５０がうまく噛み合う状態）ギア５０は実線で示す位置にコイルバネ４９の付勢力を受けて待機し、ギア８との連結が行なわれる。
　しかし、ギア８の歯とギア５０の歯が鏡筒ユニットのくり出しにより干渉してしまう（つまりギア８とギア５０の歯と歯がぶつかってしまう）場合、ギア５０はカメラ本体３９に突設された軸３９ｅに回動自在に保持されたまま、コイルバネ４９の付勢力に逆らって第９図中一点鎖線に示す位置で退避する。ギア５０が退避した状態においても図示しない駆動源からの駆動力が伝達されるようにしておくことにより（例えば、ギア５０が退避した位置でも図示しない駆動側のギアが噛み合うことができるように歯厚を厚くしておく）該駆動源からの動力を受けてギア５０が、ギア８と噛み合うことが可能な位置まで回転すると、ギア５０は図中実線で示す位置にバネ４９の力でスライドし、ギア８との連結が行なわれる。
　沈胴位置からのくり出しが完了した状態では、第一群，第二群，第３群レンズは撮影位置にはなく、この後、カメラは前述の駆動手段によりカムリング５をある角度だけ回転させる。そうすると第一群レンズは第４図中、光軸より下側に示したＷＩＤＥ撮影位置までくり出される。従って、第一群レンズと第二群レンズは、圧縮バネ１４の作用によりさらにその間隔を増し、第二群レンズはシャッター地板３の植設ピン３ｃが二群カムリング２のカム面２ｂに当接し、第一群レンズと同様、ＷＩＤＥ撮影位置に保持される。この時の撮影レンズ部の要部断面を示したのが第４図の光軸下側である。また、第４図において光軸上側は、鏡筒ユニットの沈胴位置からのくり出しが完了した状態であり、これは第３図中、光軸上側に示された状態と同じである。
　以上の状態までカムリング５を回転させたのち、前述のごとく第三群レンズをステッピングモータユニット１９０により適当な位置まで駆動し、該撮影レンズ系はＷＩＤＥ撮影の準備を完了する。この時の撮影レンズ部の要部断面を示したのが第５図の光軸より上側である。また、第５図の光軸より下側は、ズーミングによりＴＥＬＥ位置に撮影レンズ系が配置された時の状態を示しているが、ズーミング動作については先に詳述しているので省略する。
　また、鏡筒ユニットがくり出された状態から沈胴を行なう際には、以上述べてきた沈胴からのくり出しにおける各部の動きが逆になされるだけであるのでその詳細は省略する。
　前述実施例においては、撮影レンズ鏡筒ユニットを、駆動部材によりくり出して、バヨネットリング４３と、バヨネットリング押さえ板４４，４５，４６により前記ユニットの係合保持を行っているが、これに代る構成によって同じ機能を得ることができることは明らかである。
　なお、前記実施例に示した種々の構成に代替しうる構成として次のような構成が可能である。
（ａ）前記実施例では、第一群レンズを光軸方向に駆動する手段をカムリング５と鏡筒１に植設されたピン１０と直進ガイド６とによって構成しているが、この構成に代えてたとえば第１０図に示すように、一群鏡筒１３１の後部に公知のオスヘリコイド１３１ａを形成する一方、カムリング５の内側にメスヘリコイド１３１ａを形成したヘリゴイド筒１２７を配置し、鏡筒１３１の回転を阻止するために鏡筒１３１の突出ダボ１３１ｂに摺動自在に係合する回転止め１３３をたとえば前記のギア担持板３５に固着する、という構成を採用することもできる。
（ｂ）前記実施例に示した２群カムリング２として、たとえば第１１図に示すように円筒の一部を破ったような形状のカムリング２′を使用すると、カムリングの強度向上の面で好ましい。
（ｃ）三群レンズ駆動用のモータとして前述のステツピングモータ１９０に代えて直流モータを用いその回転量をパルス板などの公知の検出手段により検出し、その回転量を制御することにより行なってもよい。
［発明と実施例の対応］
以上の実施例において、一群カムリング５、ギア７、ギア８、ギア５０及び不図示の駆動源が本発明の第１の駆動手段に、同じくギア１９、ピニオン２９、減速ギア列３０及びステッピングモータ１９０が本発明の第２の駆動手段に、それぞれ相当する。
〔発明の効果〕
　以上に説明したように、本発明によれば、コンパクトに収納できる光学装置が提供できるものである。
【図面の簡単な説明】
　第１図は本発明の実施例に係るレンズ鏡筒を有するカメラの鏡筒部分の分解斜視図、第２図は該レンズ鏡筒内に塔載されているステッピングモータの正面図、第３図乃至第５図は該鏡筒部分の種々の状態における断面図、第６図及び第７図は該レンズ鏡筒における沈胴と繰り出しとを説明するための図、第８図及び第９図は該レンズ鏡筒内の動力伝達機構の説明図、第１０図及び第１１図は本発明の別の実施例の説明図、第１２図乃至第１４図は従来のズームカメラの沈胴機構の説明図である。
１……一群鏡筒、２……二群カムリング
３……シャッター地板、４……三群ホルダー
５……一群カムリング、６……直進ガイド
７……ギア、８……ギア
９〜１１……植設ピン、１２〜１３……ガイドバー
１５，１６……ガイドバー
１８……ヘリコイド軸、３５……ギア担持板
３５ａ，３５ｂ……固定軸、３５ｃ，３５ｄ……ヘリコイド孔
３６ａ，３７ａ……ヘリコイド軸
３６，３７……ギア、３８……固定鏡筒
３９……カメラ本体、４０……リングギア
４３……バヨネットリング